(57)【要約】      （修正有）【課題】帽子の頭部装着部による頭髪の圧迫に起因する頭髪の圧迫痕の発生を抑制する髪型保持器具を提供する。【解決手段】帽子の内側表面に装着して髪型の崩れを防止するための髪型保持器具１１は、帽子の下端部内周縁に沿って延びる帽子の頭部装着部に取り付けるための固定バンド１３と、固定バンド１３の表面上に長さ方向に離間して設けられている複数のスペーサ突起１７とを備え、帽子の着用時に複数のスペーサ突起１７が帽子着用者の頭部に接触して頭部装着部と頭部との隙間を維持させる。【選択図】図１
0003195771.tif 000002
【実用新案登録請求の範囲】
【請求項１】
帽子の内側に装着して帽子着用者の髪型の崩れを防止するための髪型保持器具であって、
前記帽子の下端部内周縁に沿って延びる頭部装着部に取り付けるための固定バンドと、
前記固定バンドの表面上に長さ方向に離間して設けられている複数のスペーサ突起と、
を備え、前記帽子の着用時に前記複数のスペーサ突起が前記帽子着用者の頭部に接触して前記頭部装着部と前記頭部との隙間を維持させるようにしたことを特徴とする髪型保持器具。
【請求項２】
前記固定バンドが概略Ｃ字形状を有する、請求項１に記載の髪型保持器具。
【請求項３】
前記固定バンドが複数の固定バンド部材によって構成されており、該複数の固定バンド部材は、前記固定バンドの長さが調整可能となるように、複数の位置で互いと接続可能となっている、請求項１又は請求項２に記載の髪型保持器具。
【請求項４】
前記髪型保持器具は、ドーム状をなすように湾曲して延びる複数の支持脚を含む支持枠をさらに備え、各支持脚の下端部が前記固定バンドに接続されている、請求項１から請求項３の何れか一項に記載の髪型保持器具。
【請求項５】
前記支持脚が複数の支持枠部材によって構成されており、該複数の支持枠部材は、前記支持脚の長さが調整可能となるように、複数の位置で互いと接続可能となっている、請求項１から請求項４の何れか一項に記載の髪型保持器具。
【考案の詳細な説明】
【技術分野】
【０００１】
本考案は、帽子の内側に装着して帽子着用者の髪型の崩れを防止するための髪型保持器具に関する。
【背景技術】
【０００２】
帽子は、日除けの目的だけでなく、ファッションの一部として着用されている。しかし、帽子を着用すると、帽子の内側表面が頭髪に接触して押しつぶす形となり、髪型が崩れてしまいやすい。このような髪型の崩れを嫌って、帽子の着用をためらう人々もいる。
【０００３】
このため、例えば特許文献１や特許文献２のように、頭頂部を覆う帽子のクラウン部の内側面に湾曲した保持片を取り付け、頭髪と帽子のクラウン部の内側面との間に空間を維持できるようにすることにより、帽子の着用後の髪型の崩れを防止する帽子が提案されている。
【先行技術文献】
【特許文献】
【０００４】
【特許文献１】特開２０１１−１６４６号公報
【特許文献２】実用新案登録第３１１３７２８号公報
【考案の概要】
【考案が解決しようとする課題】
【０００５】
帽子の着用時に頭髪を最も圧迫する部分は、クラウン部の下端周縁部のように帽子を帽子着用者の頭部に保持する役目を果たす頭部装着部であり、この部分が帽子を脱いだときに円環状に窪んだ圧迫痕を頭髪に残しやすい。このような円環状の圧迫痕はサンバイザーのようにクラウン部のない帽子でも発生し、頭頂部の毛髪の押しつぶしによる髪型の崩れ以上に、帽子着用者の不満の原因となっている。しかしながら、特許文献１や特許文献２に記載のような帽子は、主に、頭頂部を覆う帽子のクラウン部、特にその上部が接触して頭髪を押しつぶすことによる髪型の崩れを防止するものであり、帽子の頭部装着部による頭髪の圧迫に起因する頭髪の圧迫痕の問題の解消が不十分である。
【０００６】
よって、本考案の目的は、従来技術に存する問題を解消して、帽子の頭部装着部による頭髪の圧迫に起因する頭髪の圧迫痕の発生を抑制することにある。
【課題を解決するための手段】
【０００７】
上記目的に鑑み、本考案は、帽子の内側に装着して帽子着用者の髪型の崩れを防止するための髪型保持器具であって、前記帽子の下端部内周縁に沿って延びる頭部装着部に取り付けるための固定バンドと、前記固定バンドの表面上に長さ方向に離間して設けられている複数のスペーサ突起とを備え、前記帽子の着用時に前記複数のスペーサ突起が前記帽子着用者の頭部に接触して前記頭部装着部と前記頭部との隙間を維持させるようにしたことを特徴とする髪型保持器具を提供する。
【０００８】
上記髪型保持器具は、固定バンドを帽子の頭部装着部に取り付けることによって帽子に装着される。髪型保持器具が装着された帽子は、帽子の着用時に固定バンドの内側表面に設けられた複数のスペーサ突起が帽子着用者の頭部と接触して頭部装着部と頭部との隙間を維持させることにより、帽子による頭髪の圧迫を軽減し、頭髪と帽子装着部との接触による頭髪の圧迫痕の発生を抑制することができる。
【０００９】
上記髪型保持器具では、前記固定バンドが概略Ｃ字形状を有することが好ましい。概略Ｃ字形状の固定バンドは、接続されていない隙間部分を含んでいるので、帽子の着用時に固定バンドの隙間部分が帽子着用者の後頭部側に位置するように髪型保持器具を帽子に装着し、帽子着用者の後頭部の隆起（外後頭隆起）を固定バンドの隙間部分内に配置することにより、後頭部の隆起と固定バンドとの接触を防ぎ、帽子着用時の違和感を軽減させることができる。
【００１０】
また、前記固定バンドが複数の固定バンド部材によって構成されており、該複数の固定バンド部材は、前記固定バンドの長さが調整可能となるように、複数の位置で互いと接続可能となっていることが好ましい。固定バンドの長さが調整可能となっていることにより、様々なサイズの帽子に髪型保持器具を適用することが可能となる。
【００１１】
前記髪型保持器具は、ドーム状をなすように湾曲して延びる複数の支持脚を含む支持枠をさらに備え、各支持脚の下端部が前記固定バンドに接続されていてもよい。ドーム状をなす支持枠によって帽子着用者の頭頂部（詳細には頭皮）と帽子の内側表面との隙間を維持することができ、帽子着用者の頭頂部の毛髪の潰れを防止することが可能となる。
【００１２】
前記支持脚が複数の支持枠部材によって構成されており、該複数の支持枠部材は、前記支持脚の長さが調整可能となるように、複数の位置で互いと接続可能となっていることが好ましい。
【考案の効果】
【００１３】
本考案の髪型保持器具によれば、帽子着用者の頭部に帽子を保持するために毛髪に接触する帽子の頭部装着部による頭髪の圧迫を軽減して、帽子の頭部装着部による頭髪の圧迫痕の発生を抑制し、帽子による髪型の崩れを防止することができる。
【図面の簡単な説明】
【００１４】
【図１】本考案による髪型保持器具の実施形態の全体構成を示す斜視図である。
【図２】図１に示されている髪型保持器具を帽子に装着した状態を示す斜視図である。
【図３】髪型保持器具の固定バンドを構成する固定バンド部材同士の接続部の詳細を示す部分拡大図である。
【図４】髪型保持器具の固定バンドと支持枠の支持脚との接続部の詳細を示す部分拡大図である。
【図５】髪型保持器具の支持枠を構成する支持枠部材同士の接続部の詳細を示す部分拡大図である。
【図６】髪型保持器具の使用状態を説明するための断面図である。
【考案を実施するための形態】
【００１５】
以下、図面を参照して、本考案による髪型保持器具の実施の形態を説明する。
最初に、図１及び図２を参照して、髪形保持器具１１の全体構成を説明する。
【００１６】
髪型保持器具１１は、固定バンド１３と支持枠１５とを備え、帽子１の内側に装着されて、帽子１による髪型の崩れを防止することができる。ここで、帽子１は、典型的には、帽子着用者の頭頂部を覆うクラウン部３と、クラウン部３の下端部内周縁５に沿って取り付けられる汗取りバンド（いわゆるスベリ）と、クラウン部３の下端周縁部から外方へ延びるつば部（いわゆるブリム）７とを備えるが、髪型保持器具１１が適用可能な帽子１には、クラウン部３のないサンバイザーのような帽子も含まれる。
【００１７】
固定バンド１３は、帯形状を有しており、帽子着用者の頭髪に接触して帽子を頭部に固定する汗取りバンドのような帽子の下端部内周縁（以下、頭部装着部とも記載する。）５に装着される。固定バンド１３は、帽子１の下端部内周縁の形状に沿って湾曲しやすく且つ帽子１の原形状を崩さないように、柔軟な材料から形成されることが好ましく、例えばポリエチレンなどの柔軟性を有した樹脂材料から形成することができる。
【００１８】
固定バンド１３は、様々な大きさの帽子１に対応できるように、長さを調整可能になっていることが好ましい。例えば、図１に示されている実施形態の固定バンド１３のように、異なる位置で互いと接続可能な接続手段１９ａ、１９ｂを有した複数の固定バンド部材１９を接続して固定バンド１３を構成することによって、長さ調整が可能な固定バンド１３を実現することができる。一例として、各固定バンド部材１９に設けられる接続手段１９ａと接続手段１９ｂをそれぞれ長さ方向に一列に並んだ複数の穴と単数又は複数の突起によって構成し、図３に示されているように、固定バンド部材１９の一つの接続手段１９ａである穴と他の固定バンド部材１９の接続手段１９ｂである突起とを嵌合又は係止できるようにすれば、接続手段１９ｂの突起を嵌合又は係止させる接続手段１９ａの穴の位置を変化させることにより、固定バンド１３の全体の長さを調整することが可能となる。
【００１９】
固定バンド１３のうち帽子の内側表面に面する側と反対側の面上には、固定バンド１３の長さ方向に全体にわたって離間して位置する複数のスペーサ突起１７が設けられている。複数のスペーサ突起１７は、固定バンド１３が帽子１の頭部装着部５の内側表面に沿って延びるように装着されたときに、帽子着用者の頭部（詳細には頭皮）と接触して帽子１の頭部装着部５の内側表面と頭部との隙間を維持し、帽子１の頭部装着部５による頭髪の圧迫を軽減する機能を果たす。各スペーサ突起１７の形状は、限定されるものではなく、任意の形状とすることができるが、ある程度の柔軟性を確保するために、図１に示されている実施形態のような「コの字形状」や「Ｌ字形状」とすることが好ましい。また、スペーサ突起１７は、帽子着用者の頭部と接触して帽子１の頭部装着部５の内側表面（すなわち下端部内周縁）と頭部との隙間を維持することができれば、配置パターンが限定されるものではない。
【００２０】
支持枠１５は、ドーム状をなすように湾曲して延びる複数の支持脚１５ａを含んでおり、支持脚１５ａの下端部が接続機構２１によって固定バンド１３に接続されている。支持枠１５は、帽子１の内側表面と接触したときにドーム形状を保持できる程度の剛性を有する材料から形成されていることが好ましく、例えばポリエチレンなどの樹脂材料から形成することができる。接続機構２１は、固定バンド１３と支持脚１５ａの下端部とを着脱可能に接続できるようになっていることが好ましく、例えば、図１に示されている実施形態のように、固定バンド１３及び支持脚１５ａの下端部のうちの一方に設けられた穴と、当該穴に嵌合、係止し且つ固定バンド及び支持脚１５ａの下端部のうちの他方に設けられている突起とによって構成することができる（図４参照）。
【００２１】
支持枠１５の各支持脚１５ａは、様々な大きさの帽子に対応できるように、長さを調整可能になっていることが好ましい。例えば、図１に示されている実施形態の支持脚１５ａのように、異なる位置で互いに接続可能な互いに接続可能な接続手段２３ａ、２３ｂを有した複数の支持枠部材２３によって支持脚１５ａを構成することによって長さ調整が可能な支持脚１５ａを実現することができる。一例として、各支持枠部材２３に設けられる接続手段２３ａと接続手段２３ｂをそれぞれ長さ方向に一列に並んだ複数の穴と単数又は複数の突起によって構成し、図５に示されているように、支持枠部材２３の一つの接続手段２３ａである穴と他の支持枠部材２３の接続手段２３ｂである突起を嵌合又は係止できるようにすれば、接続手段２３ｂの突起を嵌合又は係止させる接続手段２３ａの位置を変化させることにより、支持脚１５ａの長さを調整することが可能となる。
【００２２】
次に、図１に示されている髪型保持器具の使用方法及びその作用について説明する。
使用に際しては、帽子１（図２参照）の着用時に頭髪に接する頭部装着部（例えば、クラウン部３の下端周縁部又はそこに取り付けられている汗取りバンドの内周面）５に、取付部材（図示せず）によって、スペーサ突起１７が設けられた面を頭髪側に向けて固定バンド１３を取り付ける。このとき、概略Ｃ字形状の固定バンド１３の隙間部分側を後頭部側に向けて装着する。取付部材は、固定バンド１３を帽子に取り付けることができれば限定されるものではなく、例えば面ファスナーやボタンなどとすることができる。帽子１にクラウン部がある場合には、接続機構２１により固定バンド１３にドーム状の支持枠１５を接続した状態で、帽子１の頭部装着部５に固定バンド１３を取り付けることにより、髪型保持器具１１を帽子１に装着する。
【００２３】
髪型保持器具１１を装着された帽子１を着用すると、図６に示されているように、帽子１の頭部装着部５に取り付けられた固定バンド１３のスペーサ突起１７が帽子着用者の頭部（詳細には頭皮）に接触し、帽子着用者の頭部と帽子１の頭部装着部５の内側表面との間に空間が形成されるように帽子１が帽子着用者の頭部に支持されるので、頭部装着部５の内側表面による頭髪の圧迫が軽減される。この結果、帽子１の着用による頭髪の圧迫痕の発生を抑制することができる。また、固定バンド１３を頭部装着部５の内側表面に装着することにより、帽子着用者の頭髪と頭部装着部５との接触による頭部装着部５の汚れを抑制することができ、美観及び衛生上の利点も有する。支持枠１５と帽子着用者の頭頂部の頭皮との間に隙間ができるように、支持枠１５の各支持脚１５ａの長さが調整されていれば、帽子１のクラウン部３の内側表面と頭頂部との隙間を維持した状態で支持枠１５がクラウン部３の内側表面を支持することができるので、帽子１のクラウン部３の内側表面による頭髪の圧迫が軽減される。この結果、帽子１の着用による頭髪の潰れを抑制することができる。さらに、帽子１の内側表面と帽子着用者の頭部との間に隙間が維持されることにより、通気性がよくなり、帽子１内の蒸れを抑制する効果も奏する。支持枠１５が固定バンド１３に着脱可能に接続されるようになっていれば、支持枠１５が不要な場合には取り外すことも可能となる。
【００２４】
また、髪型保持器具１１の固定バンド１３は概略Ｃ字形状を有しているため、固定バンド１３の隙間部分の幅を広げて帽子１の頭部装着部５に取り付けることにより、様々なサイズの帽子に対応させることが容易となると同時に、帽子１の頭部装着部５の周方向の伸縮性を維持することができ、帽子着用時の圧迫感を抑制することができる。さらに、隙間部分に帽子着用者の後頭部の隆起（外後頭隆起）を収容させることにより、外後頭隆起と固定バンド１３との接触による帽子着用時の違和感を軽減させることができる。
【００２５】
加えて、固定バンド１３の長さが調整可能になっていれば、様々なサイズの帽子１への対応幅がさらに広がる。
【００２６】
以上、図示される実施形態を参照して、本考案による髪型保持器具１１を説明したが、本考案は、図示される実施形態に限定されるものではない。例えば、図示される実施形態では、髪型保持器具１１に支持枠１５を含んでいるが、支持枠１５は必須の構成要素ではなく、例えばサンバイザーのようにクラウン部３のない帽子１に髪型保持器具１１を適用する場合には、支持枠１５を固定バンド１３から取り外して使用してもよい。
【符号の説明】
【００２７】
１１    髪型保持器具
１３    固定バンド
１５    支持枠
１５ａ    支持脚
１７    スペーサ突起
１９    固定バンド部材
２３    支持枠部材
【図１】
0003195771.tif 000003
【図２】
0003195771.tif 000004
【図３】
0003195771.tif 000005
【図４】
0003195771.tif 000006
【図５】
0003195771.tif 000007
【図６】
0003195771.tif 000008